【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
スポーツボールであって、
第１の補強材ブランクにボンドされた第１のカバーパネルブランクを備える第１のカバー部分であって、第１のカバーパネルブランクはスポーツボールの曲率半径を有するように湾曲した複数のパネルを含む第１のパネル化シートで形成され、第１のパネル化シートは個々のパネルが前記第１のパネル化シートの隣接するパネルに一体的に接続するように構成され、第１の補強剤材ブランクは複数の多角形輪郭線を有する、第１のカバー部分と、
第２の補強材ブランクにボンドされた第２のカバーパネルブランクを備える第２のカバー部分であって、第２のカバーパネルブランクはスポーツボールの曲率半径を有するように湾曲した複数のパネルを含む第２のパネル化シートで形成され、第２のパネル化シートは個々のパネルが前記第２のパネル化シートの隣接するパネルに一体的に接続するように構成され、第２の補強剤材ブランクは複数の多角形輪郭線を有する、第２のカバー部分と、を備え、
第１のカバー部分は第２のカバー部分にボンドされてスポーツボールを作る、ことを特徴とするスポーツボール。
【請求項２】
第１及び第２のカバーパネルブランクは、６枚の五角形パネルと１０枚の六角形パネルを有する請求項１に記載のスポーツボール。
【請求項３】
個々の多角形輪郭線は６〜２５ｍｍの幅を有する請求項１に記載のスポーツボール。
【請求項４】
第１及び第２のカバー部分の内側に収容されたブラダーと、該ブラダーの空気弁とを備える請求項１に記載のスポーツボール。
【請求項５】
第１及び第２のカバーパネルブランクは、織布または不織布によって支持されたポリウレタン、ポリビニルクロリド、合成皮革、またはその組合せを含む、請求項１に記載のスポーツボール。
【請求項６】
第１及び第２のカバーパネルブランクのパネルは、内部パネル境界及び自由端部によって輪郭を画成されている請求項１に記載のスポーツボール。
【請求項７】
第１及び第２の補強材ブランクは、内部パネル境界及び自由端部に沿って第１及び第２のカバーパネルブランクにそれぞれボンドされている、請求項６に記載のスポーツボール。
【請求項８】
第１及び第２の補強材ブランクは、内部パネル境界及び自由端部に沿って第１及び第２のカバーパネルブランクにそれぞれヒートボンドされている、請求項７に記載のスポーツボール。
【請求項９】
第１及び第２の補強材ブランクは補強材で作られ、第１及び第２のカバーパネルブランクはカバー材で作られ、前記補強材及び前記カバー材は内部パネル境界及び自由端部に沿って重なる、請求項８に記載のスポーツボール。
【請求項１０】
第１及び第２のカバーパネルブランクは５辺を有する中心五角形パネルを含み、中心五角形パネルの各辺が５枚の内側六角形パネルの第１の辺と隣接しており、５枚の内側六角形パネル各々の第２辺が５枚の隣接する外側六角形パネルの第１辺に隣接しており、５枚の内側六角形パネルの第３辺が５枚の外側五角形パネルの第１辺に隣接している、請求項１に記載のスポーツボール。
【請求項１１】
第１及び第２の補強材ブランクは複数の連結された多角形輪郭線を含み、多角形輪郭線の各頂点がそこから延在する放射アームを有する、請求項１０に記載のスポーツボール。
【請求項１２】
各々の五角形輪郭線からの第１の放射アームがＹ字形の終端を有する、請求項１１に記載のスポーツボール。
【請求項１３】
各々の五角形輪郭線からの４本の放射アームが直線形状であり、その長さが等距離である、請求項１２に記載のスポーツボール。
【請求項１４】
第１及び第２のパネル化シートは成形器具で成形されている、請求項１に記載のスポーツボール。
【請求項１５】
第１及び第２のカバーパネルブランクは、第１及び第２のパネル化シートからそれぞれ成形器具で成形されている、請求項１に記載のスポーツボール。
【請求項１６】
第１のカバー部分は、該第１のカバー部分と第２のカバー部分の重複部分に沿ってボンドされている、請求項１に記載のスポーツボール。
【請求項１７】
第１のカバー部分は、該第１のカバー部分と第２のカバー部分の重複部分に沿ってヒートボンドされている、請求項１に記載のスポーツボール。
【請求項１８】
複数のパネルを有するカバー材の連続シートから形成されたカバーパネルブランクであって、カバー材の連続シートは個々のパネルが隣接するパネルに一体的に連結するように構成されている、カバーパネルブランクと、
該カバーパネルブランクにボンドされる補強材ブランクであって、複数の連結された多角形輪郭線を含む補強材ブランクと、
を備えることを特徴とするカバー部分。
【請求項１９】
カバーパネルブランクのパネルは、内部パネル境界及び自由端部によって輪郭を画成されている請求項１８に記載のカバー部分。
【請求項２０】
補強材ブランクは、内部パネル境界及び自由端部に沿ってカバーパネルブランクにボンドされている、請求項１９に記載のカバー部分。
【請求項２１】
カバー材の連続シートは成形器具で成形されている、請求項１８に記載のカバー部分。
【請求項２２】
カバーパネルブランクはカバー材の連続シートから切断されて形成される、請求項２１に記載のカバー部分。
【請求項２３】
カバーパネルブランクのパネルはスポーツボールの曲率半径を有するように湾曲している、請求項１８に記載のカバー部分。
【請求項２４】
カバー材の連続するパネル化シートから形成されたカバーパネルブランクを提供するステップであって、カバー材のパネル化シートは、個々のパネルが隣接するパネルに一体的に連結する、ステップと、
補強材で作られた補強材ブランクを提供するステップと、
カバーパネルブランクを補強剤ブランクにボンドするステップと、
を備えることを特徴とするスポーツボールのカバー部分の製造方法。
【請求項２５】
カバーパネルブランクは６枚の五角形パネルと１０枚の六角形パネルとを有する、請求項２４に記載の製造方法。
【請求項２６】
ボンドするステップは、カバーパネルブランクを補強材ブランクにヒートボンドするステップを有する、請求項２４に記載の製造方法。
【請求項２７】
ボンドするステップは、カバーパネルブランクを補強材ブランクに接着剤で接着するステップを有する、請求項２４に記載の製造方法。
【請求項２８】
補強材ブランクは複数の連結された多角形輪郭線を含む、請求項２４に記載の製造方法。
【請求項２９】
カバーパネルブランクのパネルは内部パネル境界及び自由端部によって輪郭を画成され、
前記製造方法は、補強材ブランクをカバーパネルブランクに内部パネル境界及び自由端部に沿ってボンドするように、補強材ブランクを一つ以上の内部パネル境界と自由縁部とを整列するステップを更に備える、請求項２４に記載の製造方法。
【請求項３０】
カバー材及び補強材が、ボンドするステップ中に内部パネル境界及び自由端部に沿って重なる、請求項２９に記載の製造方法。
【請求項３１】
カバーパネルブランクのパネルはスポーツボールの曲率半径を有するように湾曲している、請求項２４に記載の製造方法。
【請求項３２】
成形器具でカバー材の連続するパネル化シートを成形するステップを備える、請求項２４に記載の製造方法。
【請求項３３】
成形器具は、
第１の電極及び第２の電極と、
第１の電極及び第２の電極との間に位置する第１の金型と第２の金型であって、第１の電極及び第２の電極との間に金型キャビティを規定する第１の金型と第２の金型と、
第１の電極と第２の電極との間で、成形キャビティの領域で交流無線周波数電場を生成する作動可能な電磁エネルギー源と、を備える請求項３２に記載の製造方法。
【請求項３４】
成形するステップは、
成形キャビティ内にカバー材を設置するステップと、
カバー材の連続するパネル化シートを形成するために、成形キャビティの領域で交流無線周波数電場を生成することによってカバー材を加熱するステップと、を備える請求項３２に記載の製造方法。
【請求項３５】
カバー材の連続するパネル化シートからカバーパネルブランクを切断するステップを備える請求項３２に記載の製造方法。
【請求項３６】
カバーパネルブランクは、織布または不織布によって支持されたポリウレタン、ポリビニルクロリド、合成皮革、またはその組合せを含む、請求項２４に記載の製造方法。
【請求項３７】
成形器具でカバー材の連続するパネル化シートを成形するステップであって、カバー材の連続するパネル化シートは、スポーツボールの曲率半径を有するように湾曲した複数のパネルを含み、個々のパネルが隣接するパネルに一体的に連結する、ステップと、
カバー材の連続シートからカバーパネルブランクを切断するステップと、
複数の多角形輪郭線を有し、補強材で作られた補強材ブランクを提供するステップと、
カバーパネルブランクを補強剤ブランクにボンドするステップと、
を備えることを特徴とするスポーツボールのカバー部分の製造方法。
【請求項３８】
カバーパネルブランクは６枚の五角形パネルと１０枚の六角形パネルを有する、請求項３７に記載の製造方法。
【請求項３９】
ボンドするステップは、カバーパネルブランクを補強材ブランクにヒートボンドするステップを有する、請求項３７に記載の製造方法。
【請求項４０】
ボンドするステップは、カバーパネルブランクを補強材ブランクに接着剤で接着するステップを有する、請求項３７に記載の製造方法。
【請求項４１】
カバーパネルブランクのパネルは、内部パネル境界及び自由端部によって輪郭を画成されている請求項３７に記載の製造方法。
【請求項４２】
補強材ブランクをカバーパネルブランクに内部パネル境界及び自由端部に沿ってボンドするように、補強材ブランクを一つ以上の内部パネル境界と自由縁部とを整列するステップを更に備える、請求項４１に記載の製造方法。
【請求項４３】
カバー材及び補強材が、ボンドするステップ中に内部パネル境界及び自由端部に沿って重なる、請求項４２に記載の製造方法。
【請求項４４】
成形器具は、
第１の電極及び第２の電極と、
第１の電極及び第２の電極との間に位置する第１の金型と第２の金型であって、第１の電極及び第２の電極との間に金型キャビティを規定する第１の金型と第２の金型と、
第１の電極と第２の電極との間で、成形キャビティの領域で交流無線周波数電場を生成する作動可能な電磁エネルギー源と、を備える請求項３７に記載の製造方法。
【請求項４５】
成形するステップは、
成形キャビティ内にカバー材を設置するステップと、
カバー材の連続するパネル化シートを形成するために、成形キャビティの領域で交流無線周波数電場を生成することによってカバー材を加熱するステップと、を備える請求項４４に記載の製造方法。
【請求項４６】
カバーパネルブランクは、織布または不織布によって支持されたポリウレタン、ポリビニルクロリド、合成皮革、またはその組合せを含む、請求項３７に記載の製造方法。
【請求項４７】
スポーツボールの製造方法において、
複数のパネルを含むパネルパターンを有する第１のカバーパネルブランクを提供するステップであって、カバー材の連続する第１のパネル化シートを個々のパネルが隣接するパネルに一体的に接続するように構成するステップと、補強材から作られた第１の補強材ブランクを提供するステップと、第１の補強材ブランクに第１のカバーパネルブランクをボンドするステップと、を含む第１のカバー部分を形成するステップと、
複数のパネルを含むパネルパターンを有する第２のカバーパネルブランクを提供するステップであって、カバー材の連続する第２のパネル化シートを個々のパネルが隣接するパネルに一体的に接続するように構成するステップと、補強材から作られた第２の補強材ブランクを提供するステップと、第２の補強材ブランクに第２のカバーパネルブランクをヒートボンドするステップと、を含む第２のカバー部分を形成するステップと、
第１のカバー部分を第２のカバー部分にヒートボンドするステップと、
を含むことを特徴とするスポーツボールの製造方法。
【請求項４８】
第１のカバー部分と第２のカバー部分の各々がスポーツボールの半球形カバー部分を備える、請求項４７に記載の製造方法。
【請求項４９】
交流電場を印加することによって第１のカバー部分を第２のカバー部分にボンドする、請求項４７に記載の製造方法。
【請求項５０】
交流電場を印加することによって、第１のカバー部分と第２のカバー部分とを第１の補強材ブランクと第２の補強材ブランクとにそれぞれボンドする、請求項４７に記載の製造方法。
【請求項５１】
接着剤を使用することによって、第１のカバーパネルブランクと第２のカバーパネルブランクとを第１の補強材ブランクと第２の補強材ブランクとにそれぞれボンドする、請求項４７に記載の製造方法。